(57)【要約】【課題】  燃料コストが廉価で、かつ、木質粉粒物を完全燃焼させることができるといった機能に優れる温水ボイラ設備を提供する。【解決手段】  木質粒状物投入口６２と、強制ファン６３に連通する通風口６４を有する筒状の燃焼室６１の直上に、第１温水ジャケット６６を有する第１ジャケット室６５を設けた燃焼機構部６０と、燃焼機構部に隣接して設けられた筒状の塵埃捕集室７１の直上に、筒状の内筒７２を有し、第１ジャケット室６５と接続管７３で連通され、第１温水ジャケットと連通する第２温水ジャケット７５を有する第２ジャケット室７４を設けた塵埃捕集機構部７０と、燃焼機構部に隣接して設けられ、木質粒状物燃料Ｐを木質粒状物投入口に自動的に供給する燃料供給機構部８０と、第１温水ジャケットや第２温水ジャケットと、被暖房・乾燥設備Ｑとを連通する連通機構部９０と、で構成する。【選択図】      図１
0003128604.tif 000002
【実用新案登録請求の範囲】
【請求項１】
木質粉粒物を燃焼させた際に発生する熱を利用して温水を作り出す温水ボイラ設備であって、木質粒状物燃料（Ｐ）を投入するための木質粒状物投入口（６２），および強制ファン（６３）に連通する通風口（６４）を有する筒状の燃焼室（６１）の直上に，上部をシスタンク装置（５３）に接続すると共に下部を排水管（５８）に接続したところの第１温水ジャケット（６６）を、頂壁部と周壁部に有する第１ジャケット室（６５）を設けた燃焼機構部（６０）と、前記燃焼機構部に隣接して設けられた筒状の塵埃捕集室（７１）の直上に，筒状の内筒（７２）を有し，前記第１ジャケット室と接続管（７３）で連通され，頂壁部と周壁部に前記第１温水ジャケットと連通する第２温水ジャケット（７５）を有する第２ジャケット室（７４）を設け，前記内筒に連続して煙突（７６）を立設した塵埃捕集機構部（７０）と、前記燃焼機構部に隣接して設けられ，木質粒状物燃料を収納した定量供給機（８１）に，搬送パイプ（８３）に回転スクリュー（８４）を内装し，前記木質粒状物投入口に連通するスクリューコンベア（８２）を設け，前記定量供給機の木質粒状物燃料を前記木質粒状物投入口に自動的に供給する燃料供給機構部（８０）と、前記第１温水ジャケットや第２温水ジャケットと，被暖房・乾燥設備（Ｑ）とを連通する連通機構部（９０）とからなり、同一のコンクリート床面（５１）上に前記燃焼機構部，塵埃捕集機構部，燃料供給機構部を配置した温水ボイラ設備。
【請求項２】
木質粉粒物を燃焼させた際に発生する熱を利用して蒸気を作り出す温水ボイラ設備であって、木質粒状物燃料（Ｐ）を供給するための木質粒状物投入口（６２），および強制ファン（６３）に連通する通風口（６４）を有する筒状の燃焼室（６１）の直上に，第１貫流ボイラ（６６Ａ）を有する第１ボイラ室（６５Ａ）を設けた燃焼機構部（６０）と、前記燃焼機構部に隣接して設けられた筒状の塵埃捕集室（７１）の直上に，筒状の内筒（７２）を有し，前記第１ボイラ室と接続管（７３）で連通され，第２貫流ボイラ（７５Ａ）を有する第２ボイラ室（７４Ａ）を設け，前記内筒に連続して煙突（７６）を立設した塵埃捕集機構部（７０）と、前記燃焼機構部に隣接して設けられ，木質粒状物燃料を収納した定量供給機（８１）に，搬送パイプ（８３）に回転スクリュー（８４）を内装し，前記木質粒状物投入口に連通するスクリューコンベア（８２）を設け，前記定量供給機の木質粒状物燃料を前記木質粒状物投入口に自動的に供給する燃料供給機構部（８０）と、前記第１貫流ボイラや第２貫流ボイラと，被暖房・乾燥設備（Ｑ）とを連通する連通機構部（９０）とからなり、同一のコンクリート床面（５１）上に前記燃焼機構部，塵埃捕集機構部，燃料供給機構部を配置した温水ボイラ設備。
【請求項３】
第１ジャケット室（６５）および第２ジャケット室（７４）の頂壁部から周壁部の下端部にわたって、第１温水ジャケット（６６）および第２温水ジャケット（７５）に連通する温水管（６７）を設けてなる請求項１に記載の温水ボイラ設備。
【請求項４】
被暖房・乾燥設備（Ｑ）が温室・木材乾燥機であることを特徴とする請求項１、２または３に記載の温水ボイラ設備。
【考案の詳細な説明】
【技術分野】
【０００１】
本考案は温水ボイラで発生する熱で温水や蒸気を作り出し、それを温室などの暖房に利用する温水ボイラ設備に関するものである。
【背景技術】
【０００２】
従来から、温水ボイラで木質粉粒物を燃焼させる際に発生する熱を利用して温水や蒸気を作り出す温水ボイラが使用されている。
【考案の開示】
【考案が解決しようとする課題】
【０００３】
こうした従来の温水ボイラは、木質粉粒物を石油系燃料のみで燃焼させているので、コストが嵩むといった改善すべき大きな問題がある。
【０００４】
本考案はこうした問題に鑑み創案されたもので、燃料コストが廉価で、かつ、木質粉粒物を完全燃焼させることができるといった機能に優れる温水ボイラ設備を提供することを課題とする。
【課題を解決するための手段】
【０００５】
図１乃至図３を参照して説明する。請求項１に記載の温水ボイラ設備５０は、温水ボイラで木質粉粒物を燃焼させた際に発生する熱を利用して温水を作り出す温水ボイラ設備であって、木質粒状物燃料Ｐを投入するための木質粒状物投入口６２、および強制ファン６３に連通する通風口６４を有する筒状の燃焼室６１の直上に、上部をシスタンク装置５３に接続すると共に下部を排水管５８に接続したところの第１温水ジャケット６６を、頂壁部と周壁部に有する第１ジャケット室６５を設けた燃焼機構部６０と、前記燃焼機構部６０に隣接して設けられた筒状の塵埃捕集室７１の直上に、筒状の内筒７２を有し、前記第１ジャケット室６５と接続管７３で連通され、頂壁部と周壁部に前記第１温水ジャケット６６と連通する第２温水ジャケット７５を有する第２ジャケット室７４を設け、前記内筒７２に連続して煙突７６を立設した塵埃捕集機構部７０と、前記燃焼機構部６０に隣接して設けられ、木質粒状物燃料Ｐを収納した定量供給機８１に、搬送パイプ８３に回転スクリュー８４を内装し、前記木質粒状物投入口６２に連通するスクリューコンベア８２を設け、前記定量供給機８１の木質粒状物燃料Ｐを前記木質粒状物投入口６２に自動的に供給する燃料供給機構部８０と、前記第１温水ジャケット６６や第２温水ジャケット７５と、被暖房・乾燥設備Ｑとを連通する連通機構部９０とからなり、同一のコンクリート床面５１上に燃焼機構部６０，塵埃捕集機構部７０，燃料供給機構部８０を配置したものである。
【０００６】
なお、木質粒状物燃料Ｐには、伐採などによって得られた木材や廃材木屑を粉砕し、固形状に固めたペレットや、それよりやや大型のブリケットを含む。
【０００７】
請求項２に記載の温水ボイラ設備５０は、木質粉粒物を燃焼させた際に発生する熱を利用して蒸気を作り出す温水ボイラ設備であって、木質粒状物燃料Ｐを供給するための木質粒状物投入口６２、および強制ファン６３に連通する通風口６４を有する筒状の燃焼室６１の直上に、第１貫流ボイラ６６Ａを有する第１ボイラ室６５Ａを設けた燃焼機構部６０と、前記燃焼機構部６０に隣接して設けられた筒状の塵埃捕集室７１の直上に、筒状の内筒７２を有し、前記第１ボイラ室６５Ａと接続管７３で連通され、第２貫流ボイラ７５Ａを有する第２ボイラ室７４Ａを設け、前記内筒７２に連続して煙突７６を立設した塵埃捕集機構部７０と、前記燃焼機構部６０に隣接して設けられ、木質粒状物燃料Ｐを収納した定量供給機８１に、搬送パイプ８３に回転スクリュー８４を内装し、前記木質粒状物投入口６２に連通するスクリューコンベア８２を設け、前記定量供給機８１の木質粒状物燃料Ｐを前記木質粒状物投入口６２に自動的に供給する燃料供給機構部８０と、前記第１貫流ボイラ６６Ａや第２貫流ボイラ７５Ａと、被暖房・乾燥設備Ｑとを連通する連通機構部９０とからなり、同一のコンクリート床面５１上に燃焼機構部６０，塵埃捕集機構部７０，燃料供給機構部８０を配置したものである。
【０００８】
請求項３に記載の温水ボイラ設備５０は、請求項１に記載の考案において、第１ジャケット室６５および第２ジャケット室７４の頂壁部から周壁部の下端部にわたって、第１温水ジャケット６６および第２温水ジャケット７５に連通する温水管６７を設けてなるものである。
【０００９】
請求項４に記載の温水ボイラ設備５０は、請求項１、２または３に記載の考案において、被暖房・乾燥設備Ｑが温室・木材乾燥機であることを特徴とするものである。
【考案の効果】
【００１０】
請求項１に記載の温水ボイラ設備５０は、第１温水ジャケット６６または／および第２温水ジャケット７５を、連通機構部９０によって被暖房・乾燥設備Ｑに連通しているので、燃焼室６１で木質粉粒物を燃焼させた際の熱によって加熱された第１温水ジャケット６６または／および第２温水ジャケット７５の温水を有効利用することができる。なお、第１温水ジャケット６６および第２温水ジャケット７５は、水を内蔵しているので、耐火煉瓦などと同様に、耐火機能を発揮する。
【００１１】
また、燃焼室６１に木質粒状物投入口６２を設け、そこからペレットなどの木質粒状物燃料Ｐを投入して木質粉粒物を燃焼させるので、伐採木材や廃材木屑などの有効利用を図ることができると共に、石油系燃料の消費を削減し、燃料コストの低廉化を図ることができる。
【００１２】
また、燃焼室６１を筒状としているため、木質粒状物燃料Ｐは通風口６４から供給されるエアーと共に、その周壁に沿って旋回しながら完全燃焼することができる。従って、不完全燃焼によって煤塵が発生するのを防止することができる。
【００１３】
なお、この木質粒状物燃料Ｐは、燃料供給機構部８０のスクリューコンベア８２で自動的に供給するので、燃料を供給するための作業が容易である。
【００１４】
また、塵埃捕集機構部７０に内筒７２を設けたので、燃焼室６１で燃焼した煤塵が当該内筒７２に当たって塵埃捕集室７１内に落下するので、煙突７６からそのまま排出されるのを阻止することができる。これにより、煤塵が大気中に放出され、環境が汚染されるのを未然に防止することができる。
【００１５】
更に、同一のコンクリート床面５１上に燃焼機構部６０，塵埃捕集機構部７０，燃料供給機構部８０を配置したので、工事が容易且つ設備の作動点検が容易である。
【００１６】
請求項２に記載の考案に係る温水ボイラ設備５０は、第１貫流ボイラ６６Ａまたは／および第２貫流ボイラ７５Ａを、連通機構部９０によって被暖房・乾燥設備Ｑに連通しているので、燃焼室６１で木質粉粒物を燃焼させた際に生じる熱によって加熱されて発生した第１貫流ボイラ６６Ａまたは／および第２貫流ボイラ７５Ａの蒸気を有効利用することができる。
【００１７】
また、この温水ボイラ設備５０は、請求項１に記載の考案と同様に、伐採木材や廃材木屑などを有効利用して、燃料コストを削減し、また、新たな煤塵の発生を防止し、燃料供給作業を容易なものとし、さらに、煤塵の放出を阻止して環境汚染を防止するといった効果を発揮する。
【００１８】
請求項３に記載の考案は、第１ジャケット室６５および第２ジャケット室７４の頂壁部から周壁部の下端部にわたって、第１温水ジャケット６６および第２温水ジャケット７５に連通する温水管６７を設けているので、温水の量を多くすることができる。これにより、豊富な量の温水を被暖房・乾燥設備Ｑに供給することができる。
【００１９】
請求項４に記載の温水ボイラ設備５０は、被暖房・乾燥設備Ｑが農業・林業・畜産業・漁業等における温室・木材乾燥機等なので、温水や蒸気の熱によって被暖房・乾燥設備Ｑを加温することができる。これにより、温水ボイラで発生した熱を有効利用して、被暖房・乾燥設備内の植物等を良好に生育させたり、木材を乾燥させたりすることができる。
【考案を実施するための最良の形態】
【００２０】
本考案に係る温水ボイラ設備５０の第１実施形態を、図１および図２に示す。これは、温水ボイラで木質粉粒物を燃焼させた際に発生する熱を利用して温水を作り出すものであり、燃焼機構部６０、塵埃捕集機構部７０、燃料供給機構部８０および連通機構部９０とで構成され、燃焼機構部６０，塵埃捕集機構部７０，燃料供給機構部８０は、同一のコンクリート床面５１上に配置されている。
【００２１】
燃焼機構部６０は、木質粒状物燃料Ｐを投入するための木質粒状物投入口６２、および強制ファン６３に連通する通風口６４を有する略円筒及び角筒を含む筒状の燃焼室６１の直上に、頂壁部と周壁部に第１温水ジャケット６６を有する第１ジャケット室６５を設けて構成している。なお、燃焼室６１は耐火煉瓦で形成され、その周壁部に石油系燃料を燃焼させるバーナー６８を設けている。また、第１温水ジャケット６６には、新たな水を供給するための給湯口６６ａと、内部圧力を制御するための蒸気抜き６９を設けている。
【００２２】
塵埃捕集機構部７０は、燃焼機構部６０に隣接して設けられた略円筒及び角筒を含む筒状の塵埃捕集室７１の直上に、筒状の内筒７２を有し、第１ジャケット室６５と接続管７３で連通され、頂壁部と周壁部に第２温水ジャケット７５を有する第２ジャケット室７４を設け、内筒７２に連続して煙突７６を立設したものである。なお、第２温水ジャケット７５には蒸気抜き７８を設けている。また、内筒７２は耐火材で形成しているが、それに代えて、内部に温水を貯える構造とすることもできる。その場合は、図２の想像線で示すように、温水管６７（または第２温水ジャケット７５）と連結パイプ７５ａで接続する。
【００２３】
この第２温水ジャケット７５は、第１温水ジャケット６６と接続管７３の周壁部に形成した通水路７３ａを介して連通させているが、連通させないでそれぞれ独立した構成とし、それぞれを温水ボイラとして使用することもできる。また、煙突７６には、強制ファン６３に連通するエアーパイプ７７を設け、当該強制ファン６３からエアーを供給している。なお、塵埃捕集室７１の下端部には、灰を取り出すための排出口７９を設けている。
【００２４】
燃料供給機構部８０は、燃焼機構部６０に隣接して設けられ、木質粒状物燃料Ｐを収納した定量供給機８１に、搬送パイプ８３に回転スクリュー８４を内装し、木質粒状物投入口６２に連通するスクリューコンベア８２を設け、定量供給機８１の木質粒状物燃料Ｐを木質粒状物投入口６２に自動的に供給するものである。
【００２５】
そして、連通機構部９０は、第１温水ジャケット６６および第２温水ジャケット７５と、被暖房設備Ｑとを連通するものであり、接続パイプ９１、ヒーター９３を内蔵した貯湯室９２およびポンプ９４を備える。なお、図２において、符号９７はバーナー用ファンユニットを示す。
【００２６】
なお、水タンク５４の上部側壁に連結した水道管５２の出口には、水タンク５４内の水面に浮かぶフロート５５が配置され、該フロート５５が規定水位まで上昇すると水道管５２の出口を塞ぐバルブ５６が設けられてシスタンク装置５３を構成している。シスタンク装置５３の下部は送水管５７を介して第１温水ジャケット６６の上部に連結されている。第１温水ジャケット６６の下部側壁にはコック５９を有する排水管５８が接続されている。シスタンク装置５３の位置や構造は図１・図２のものに限定されない。
【００２７】
この温水ボイラ設備５０は次のように作用する。燃焼室６１に木質粉粒物を投入してバーナー６８で燃焼させた後、燃料供給機構部８０から必要量の木質粒状物燃料Ｐを自動的に供給する。この供給は、定量供給機８１に貯蔵している木質粒状物燃料Ｐを、搬送パイプ８３内のスクリューが連続的に適量ずつ搬送して自動的に行うので、容易に行うことができる。
【００２８】
この際、燃焼室６１に強制ファン６３からエアーを供給し、燃焼を加速させる。この燃焼室６１は筒形であるため、木質粒状物燃料Ｐはエアーと共に周壁に沿って移動しながら、かつ、豊富なエアーを供給されながら完全燃焼する。この燃焼によって、第１温水ジャケット６６の温水が効果的に加熱される。
【００２９】
燃焼室６１で発生した温風および煤塵は接続管７３を通って塵埃捕集機構部７０に達し、そこで内筒７２に当たることによってその下位の塵埃捕集室７１に落下する。従って、そのまま煙突７６を通って大気中に放出されることがない。また、燃焼し切っていない木質粒状物燃料Ｐはこの塵埃捕集室７１で、完全燃焼する。この際の熱や温風などによって、第２ジャケットの温水が加熱される。なお、塵埃捕集室７１にたまった灰は、排出口７９から取り出す。
【００３０】
第１温水ジャケット６６および第２温水ジャケット７５の温水は、接続パイプ９１を通して貯湯室９２まで運ばれる。そして、この温水は必要に応じてさらにヒーター９３によって加熱された後、ポンプ９４によって温室や建物又は加熱を必要とする構造の機器等の被暖房設備Ｑに供給される。
【００３１】
本実施形態に係る温水ボイラ設備５０は、木質粉粒物を燃焼させた際に発生する熱で加熱した温水を、被暖房設備Ｑを温めるために利用するので、エネルギーの有効利用を図ることができる。
【００３２】
なお、本実施形態では、第１ジャケット室６５および第２ジャケット室７４の頂壁部から周壁部の下端部にわたって、第１温水ジャケット６６および第２温水ジャケット７５に連通する温水管６７を設けている。これにより温水の量を多くし、被暖房設備Ｑにより豊富な温水を供給できるようにしている。なお、この温水は、温室の他に、建物の暖房などにも使用することができる。
【００３３】
本考案に係る温水ボイラ設備５０の第２実施形態を、図３に示す。この温水ボイラ設備５０の特徴は、燃焼機構部６０に第１貫流ボイラ６６Ａを設け、塵埃捕集機構部７０に第２貫流ボイラ７５Ａを設けたことである。また、それに付随して、安全弁９５と水面計９６を設けている。なお、その他の構成部分は、第１実施形態と同じである。
【００３４】
貫流ボイラは、長い管の一端から給水をポンプで行い、途中で順次、加熱、蒸発、加熱され、他端から加熱蒸気として送り出すものであり、管のみで比較的簡易に構成され、その取扱いも容易であるといった特徴を有する。
【００３５】
この温水ボイラ設備は、第１貫流ボイラ６６Ａおよび第２貫流ボイラ７５Ａで発生した蒸気を、連通機構部９０を介して被暖房設備Ｑに供給し、その蒸気の熱で被暖房設備Ｑを温めるために使用するものである。これにより、木質粉粒物を燃焼した際に発生する熱を、廃棄することなく有効利用することができる。
【００３６】
また、上記した第１実施形態および第２実施形態に係る温水ボイラ設備５０は、次の特徴を有する。
（イ）燃焼機構部６０と塵埃捕集機構部７０とのいわゆる二筒式としているので、各機構部の温水や蒸気を複数の施設に供給するなど、容易に有効利用できる。
（ロ）木質粒状物燃料Ｐとして木質粉粒物を使用することにより、燃焼機構部６０および塵埃捕集機構部７０を短時間で温度上昇させることができる。なお、燃焼室６１および塵埃捕集室７１を略円筒形とすれば、角筒型と比較して、温度上昇時間を３０％以上、早めることができる。
（ハ）燃焼室６１および塵埃捕集室７１を筒型としたので、木質粒状物燃料Ｐがその内周面に沿って旋回し、燃焼室６１内等での滞留時間が長くなる。従って、燃焼室６１等が完全燃焼し易くなり、短時間で高温になり易い。さらに、燃料の使用量も少なくて済む。
（ニ）強制ファン６３からエアーを供給するので、燃焼室６１の全体を一気に高温化することができる。また、灰の量を少なくすることができる。
（ホ）貫流ボイラを使用する場合は、蒸気も利用できる。なお、貫流ボイラは、蒸気を利用するが、小型なので資格が不要であり、取扱いが容易である。また、温水ジャケット６６，７５の場合も、本考案では圧力が低いので資格が不要であり、その取扱いが容易である。
（ヘ）温水管を適宜増やすことにより伝熱面積が多くなり、温水発生量が増加する。従って燃料の使用も少なくなり温水ボイラも小型化する。
（ト）燃料の中には含水率の高いものがあるので、廃熱を利用して燃焼室に吹き込み、カロリーを上げるものとする。
（チ）更に定量サイロにも廃熱を供給してチップを乾燥させる。
（リ）同一のコンクリート床面５１上に燃焼機構部６０，塵埃捕集機構部７０，燃料供給部８０を配置したので、工事が容易且つ設備の作動点検が容易である。
【産業上の利用可能性】
【００３７】
本考案に係る温水ボイラ設備は、他の目的の加温設備にも最適である。
【図面の簡単な説明】
【００３８】
【図１】本考案に係る温水ボイラ設備の第１実施形態を示す部分断面正面図である。
【図２】図１に示す温水ボイラ設備のＸ−Ｘ線断面図である。
【図３】本考案に係る温水ボイラ設備の第２実施形態を示す部分断面要部正面図である。
【符号の説明】
【００３９】
５０      温水ボイラ設備
５１      コンクリート床面
５２      水道管
５３      シスタンク装置
５４      水タンク
５５      フロート
５６      バルブ
５７      送水管
５８      排水管
５９      コック
６０      燃焼機構部
６１      燃焼室
６２      木質粒状物投入口
６３      強制ファン
６４      通風口
６５      第１ジャケット室
６５Ａ    第１ボイラ室
６６      第１温水ジャケット
６６Ａ    第１貫流ボイラ
６７      温水管
６８      バーナー
６９      蒸気抜き
７０      塵埃捕集機構部
７１      塵埃捕集室
７２      内筒
７３      接続管
７３ａ    通水路
７４      第２ジャケット室
７４Ａ    第２ボイラ室
７５      第２温水ジャケット
７５ａ    連結パイプ
７５Ａ    第２貫流ボイラ
７６      煙突
７７      エアーパイプ
７８      蒸気抜き
７９      排出口
８０      燃料供給機構部
８１      定量供給機
８２      スクリューコンベア
８３      搬送パイプ
８４      回転スクリュー
９０      連通機構部
９１      接続パイプ
９２      貯湯室
９３      ヒーター
９４      ポンプ
９５      安全弁
９６      水面計
９７      バーナー用ファンユニット
Ｐ        木質粒状物燃料
Ｑ        被暖房・乾燥設備
【図１】
0003128604.tif 000003
【図２】
0003128604.tif 000004
【図３】
0003128604.tif 000005